(57)【要約】【課題】人物を認証対象者として再登録した場合に過去の認証性能を維持（回復）できる手法を提供する。【解決手段】顔認証システム１は、被認証者Ａの顔データＦと、記憶部Ｍに記憶された顔データＦとを照合して、被認証者Ａを認証対象者Ｂであると認証する認証部と、登録を抹消する認証対象者Ｂの顔データＦを、非認証対象者Ｃの顔データＦとして記憶部Ｍに記憶させる登録抹消部と、認証対象者Ｂとして登録する人物Ｐを処理対象者Ｄとして、記憶部Ｍに記憶された非認証対象者Ｃの顔データＦの中から、処理対象者Ｄに関する顔データＦを特定し、特定された顔データＦを処理対象者Ｄの顔データとして記憶部Ｍに記憶させる登録部を有する。【選択図】図４
2018120301.tif 000002
【特許請求の範囲】
【請求項１】
顔画像またはその特徴量からなる顔データを照合して、被認証者を登録された認証対象者であると認証する顔認証システムであって、
前記認証対象者の前記顔データと、非認証対象者の前記顔データとを記憶する記憶部と、
前記被認証者の前記顔データと、前記記憶部に記憶された前記顔データとを照合して、前記被認証者を前記認証対象者であると認証する認証部と、
登録を抹消する前記認証対象者の前記顔データを、前記非認証対象者の前記顔データとして前記記憶部に記憶させる登録抹消部と、
前記認証対象者として登録する人物、または前記認証対象者として登録されている人物を処理対象者として、前記記憶部に記憶された前記非認証対象者の前記顔データの中から、前記処理対象者に関する前記顔データを特定し、特定された前記顔データを前記処理対象者の前記顔データとして前記記憶部に記憶させる登録部と、
を備える顔認証システム。
【請求項２】
前記登録部は、前記処理対象者の前記顔データと、前記記憶部に記憶された前記非認証対象者の前記顔データとを照合して、前記処理対象者に関する前記顔データを特定する請求項１に記載の顔認証システム。
【請求項３】
前記記憶部は、前記認証対象者の前記顔データを、前記認証対象者の個人識別データと関連づけて記憶しており、
前記登録部は、特定された前記顔データを、前記処理対象者の個人識別データと関連づけた状態で、前記処理対象者の前記顔データとして前記記憶部に記憶させる請求項１または２に記載の顔認証システム。
【請求項４】
前記記憶部は、前記認証対象者の前記顔データを、前記認証対象者の個人識別データと関連づけて記憶しており、
前記登録抹消部は、登録を抹消する前記認証対象者の前記顔データを、前記非認証対象者の前記顔データとして前記記憶部に記憶させる際に、登録を抹消する前記認証対象者の前記個人識別データを前記記憶部から削除する請求項１から３のいずれか１項に記載の顔認証システム。
【請求項５】
前記記憶部は、前記非認証対象者の前記顔データを、前記非認証対象者の個人識別データと関連づけて記憶しており、
前記登録部は、前記処理対象者の前記個人識別データと、前記記憶部に記憶された前記非認証対象者の前記個人識別データとを照合して、前記処理対象者に関する前記顔データを特定する請求項１または２に記載の顔認証システム。
【請求項６】
前記記憶部は、前記認証対象者の前記顔データを記憶する第１記憶部と、前記非認証対象者の前記顔データを記憶する第２記憶部とを有する請求項１から５のいずれか１項に記載の顔認証システム。
【請求項７】
顔画像またはその特徴量からなる顔データを照合して、被認証者を登録された認証対象者であると認証する顔認証方法であって、
前記被認証者の前記顔データと、記憶部に記憶された顔データとを照合して、前記被認証者を前記認証対象者であると認証する認証処理と、
登録を抹消する前記認証対象者の前記顔データを、非認証対象者の前記顔データとして前記記憶部に記憶させる登録抹消処理と、
前記認証対象者として登録する人物、または前記認証対象者として登録されている人物を処理対象者として、前記記憶部に記憶された前記非認証対象者の前記顔データの中から、前記処理対象者に関する前記顔データを特定し、特定された前記顔データを前記処理対象者の前記顔データとして前記記憶部に記憶させる登録処理と、
を有する顔認証方法。
【請求項８】
顔画像またはその特徴量からなる顔データを照合して、被認証者を登録された認証対象者であると認証するための顔認証プログラムであって、
前記被認証者の前記顔データと、記憶部に記憶された顔データとを照合して、前記被認証者を前記認証対象者であると認証する認証処理手順と、
登録を抹消する前記認証対象者の前記顔データを、非認証対象者の前記顔データとして前記記憶部に記憶させる登録抹消処理手順と、
前記認証対象者として登録する人物、または前記認証対象者として登録されている人物を処理対象者として、前記記憶部に記憶された前記非認証対象者の前記顔データの中から、前記処理対象者に関する前記顔データを特定し、特定された前記顔データを前記処理対象者の前記顔データとして前記記憶部に記憶させる登録処理手順と、
をコンピュータに実行させる顔認証プログラム。
【発明の詳細な説明】
【技術分野】
【０００１】
本発明は、顔認証システム、顔認証方法および顔認証プログラムに関する。
【背景技術】
【０００２】
顔画像またはその特徴量からなる顔データを照合して、被認証者を登録された認証対象者であると認証する顔認証システムが知られている。このようなシステムでは、例えばセキュリティが管理された領域（データセンターのサーバールーム等）の入口で、被認証者の顔を撮影して顔データを取得し、システムに登録された認証対象者の顔データと照合して、認証が行われる。
【０００３】
このような顔認証システムにおいて、認証対象者の顔データに対して学習内容を随時追加し、認証精度を向上させる手法が提案されている。
【０００４】
特許文献１の生体認証装置では、認証性能低下要因（入力環境の変動や経年変化など）の影響を軽減するために、辞書情報（人物固有の特徴情報）の更新が行われる。
【０００５】
特許文献２の顔画像照合装置では、予め参照顔画像として登録された初期登録顔画像とは別に、初期登録顔画像との間で一定の類似度を有する入力顔画像を参照顔画像として追加登録することにより、登録者本人の顔画像と認証する定義範囲（本人定義範囲）を拡張する。これにより、顔の特徴や環境の変化等に対応して、認証精度の低下を抑制している。
【先行技術文献】
【特許文献】
【０００６】
【特許文献１】特開２００６−３１１０３号公報
【特許文献２】特許第５３９０２２８号明細書
【特許文献３】特開２００３−１０９０１０号公報
【発明の概要】
【発明が解決しようとする課題】
【０００７】
特許文献３の入退出認証装置では、セキュリティエリアから一時的に退出する際、利用者の顔パターンを登録し、再入場時にその顔パターンと照合することにより再入場を制御する。その利用者が再入場すると、登録した顔パターンは不要となり、削除される。
【０００８】
このように認証対象者としての登録を抹消する場合には、通常、その認証対象者の顔データは削除される。例えばある人物が、１週間のメンテナンス期間のためにサーバールームへの入場が許可されていた場合、そのメンテナンス期間が終了すると、その人物についての認証対象者としての登録は抹消されて、認証のための顔データも不要となり、削除される。
【０００９】
ここで上述の例にて、次のメンテナンス期間が到来し、担当者を認証対象者として登録する場合、前回のメンテナンス期間の担当者と同じ人物が担当者となる場合がある。この場合、同じ人物が認証対象者として登録されることになるが、（前回の）登録抹消時の顔データ削除により、当該顔データに係る学習内容は失われているから、前回のメンテナンス期間の終了時点よりも認証精度が低下してしまう。
【００１０】
上述した特許文献１の生体認証装置では、登録者が登録を抹消された場合の辞書情報の取り扱いについては考慮されていない。そうすると、ある登録者について辞書情報の更新が何度も行われ、認証性能が向上したとしても、その登録者の登録抹消により辞書情報は削除される。そしてその人物が再び生体認証装置に登録された場合、更新された辞書情報は失われているから、登録抹消時よりも認証性能が低下してしまう。
【００１１】
上述した特許文献２の顔画像照合装置では、登録者が登録を抹消された場合の参照顔画像（追加された学習内容）の取り扱いについては考慮されていない。そうすると、ある登録者について多数の参照顔画像が追加され、認証精度が向上したとしても、その登録者の登録抹消により参照顔画像は削除される。そしてその人物が再び顔画像照合装置に登録された場合、追加された参照顔画像は失われているから、登録抹消時よりも認証性能が低下してしまう。
【００１２】
本発明は上述の課題に鑑みてなされたものであり、人物を認証対象者として再登録した場合に過去の認証性能を維持できる、換言すれば、過去の認証性能を回復できる手法を提供することを目的とする。
【００１３】
〔構成１〕
本発明の顔認証システムは、
顔画像またはその特徴量からなる顔データを照合して、被認証者を登録された認証対象者であると認証する顔認証システムであって、
前記認証対象者の前記顔データと、非認証対象者の前記顔データとを記憶する記憶部と、
前記被認証者の前記顔データと、前記記憶部に記憶された前記顔データとを照合して、前記被認証者を前記認証対象者であると認証する認証部と、
登録を抹消する前記認証対象者の前記顔データを、前記非認証対象者の前記顔データとして前記記憶部に記憶させる登録抹消部と、
前記認証対象者として登録する人物、または前記認証対象者として登録されている人物を処理対象者として、前記記憶部に記憶された前記非認証対象者の前記顔データの中から、前記処理対象者に関する前記顔データを特定し、特定された前記顔データを前記処理対象者の前記顔データとして前記記憶部に記憶させる登録部とを備える。
【００１４】
〔構成７〕
本発明の顔認証方法は、
顔画像またはその特徴量からなる顔データを照合して、被認証者を登録された認証対象者であると認証する顔認証方法であって、
前記被認証者の前記顔データと、記憶部に記憶された顔データとを照合して、前記被認証者を前記認証対象者であると認証する認証処理と、
登録を抹消する前記認証対象者の前記顔データを、前記非認証対象者の前記顔データとして前記記憶部に記憶させる登録抹消処理と、
前記認証対象者として登録する人物、または前記認証対象者として登録されている人物を処理対象者として、前記記憶部に記憶された前記非認証対象者の前記顔データの中から、前記処理対象者に関する前記顔データを特定し、特定された前記顔データを前記処理対象者の前記顔データとして前記記憶部に記憶させる登録処理とを有する。
【００１５】
〔構成８〕
本発明の顔認証プログラムは、
顔画像またはその特徴量からなる顔データを照合して、被認証者を登録された認証対象者であると認証するための顔認証プログラムであって、
前記被認証者の前記顔データと、記憶部に記憶された顔データとを照合して、前記被認証者を前記認証対象者であると認証する認証処理手順と、
登録を抹消する前記認証対象者の前記顔データを、前記非認証対象者の前記顔データとして前記記憶部に記憶させる登録抹消処理手順と、
前記認証対象者として登録する人物、または前記認証対象者として登録されている人物を処理対象者として、前記記憶部に記憶された前記非認証対象者の前記顔データの中から、前記処理対象者に関する前記顔データを特定し、特定された前記顔データを前記処理対象者の前記顔データとして前記記憶部に記憶させる登録処理手順とをコンピュータに実行させる。
【００１６】
上述の構成によれば、認証対象者の登録を抹消する際には、その認証対象者の顔データを、非認証対象者の顔データとして記憶部に記憶させる。そうすると、認証対象者であった人物の顔データが、非認証対象者の顔データとして記憶部に残ることになる。そして非認証対象者の顔データの中から、処理対象者（認証対象者として登録する人物、または認証対象者として登録されている人物）に関するデータが特定され、認証対象者である処理対象者の顔データとして登録される。これにより、その処理対象者の認証には、過去に認証対象者であった際の顔データが利用されるから、過去の顔データを再利用しない場合に比べ認証性能が向上することになる。すなわち上述の構成によれば、人物を認証対象者として再登録した場合に過去の認証性能を維持できる、換言すれば、過去の認証性能を回復できることが可能になる。なお「過去の認証性能を維持」あるいは「回復」とは、過去の認証性能と全く同じ性能を実現する場合に限られない。以前に認証対象者であった時点から数ヶ月ないし数年が経過している場合には、髪型や人相がある程度変化する。そのような場合であっても、上述の特徴構成によれば、全く新規の認証対象者として顔データを再利用せず登録する場合に比べて、認証性能が向上する効果が得られる。
【００１７】
〔構成２〕
また本発明の顔認証システムにおいて、前記登録部は、前記処理対象者の前記顔データと、前記記憶部に記憶された前記非認証対象者の前記顔データとを照合して、前記処理対象者に関する前記顔データを特定するように構成されてもよい。
【００１８】
上述の構成によれば、処理対象者に関する顔データの特定が顔データの照合により行われるから、処理対象者に関する顔データの特定が確実に行われて好適である。
【００１９】
〔構成３〕
また本発明の顔認証システムにおいて、
前記記憶部は、前記認証対象者の前記顔データを、前記認証対象者の個人識別データと関連づけて記憶しており、
前記登録部は、特定された前記顔データを、前記処理対象者の個人識別データと関連づけた状態で、前記処理対象者の前記顔データとして前記記憶部に記憶させるように構成すると好適である。なお個人識別データとは、例えば氏名や所属等、個人を識別できる情報であって、顔データ以外の情報である。
【００２０】
〔構成４〕
また本発明の顔認証システムにおいて、
前記記憶部は、前記認証対象者の前記顔データを、前記認証対象者の個人識別データと関連づけて記憶しており、
前記登録抹消部は、登録を抹消する前記認証対象者の前記顔データを、前記非認証対象者の前記顔データとして前記記憶部に記憶させる際に、登録を抹消する前記認証対象者の前記個人識別データを前記記憶部から削除するように構成されてもよい。
【００２１】
上述の構成によれば、認証対象者の登録を抹消する際に個人識別データが記憶部から削除され、非認証対象者の顔データは個人識別データと関連づけられていない状態で記憶されることになる。これにより、顔データの保管に係るリスク（例えば情報流出が発生した際のリスク）を低減することができ好適である。
【００２２】
〔構成５〕
また本発明の顔認証システムにおいて、
前記記憶部は、前記非認証対象者の前記顔データを、前記非認証対象者の個人識別データと関連づけて記憶しており、
前記登録部は、前記処理対象者の前記個人識別データと、前記記憶部に記憶された前記非認証対象者の前記個人識別データとを照合して、前記処理対象者に関する前記顔データを特定するように構成されてもよい。
【００２３】
上述の構成によれば、処理対象者に関する顔データの特定が個人識別データの照合により行われるから、処理対象者に関する顔データの特定が確実に行われて好適である。
【００２４】
〔構成６〕
また本発明の顔認証システムにおいて、前記記憶部は、前記認証対象者の前記顔データを記憶する第１記憶部と、前記非認証対象者の前記顔データを記憶する第２記憶部とを有するように構成されてもよい。
【発明の効果】
【００２５】
本発明によれば、人物を認証対象者として再登録した場合に過去の認証性能を維持（回復）できる手法を提供することができる。
【図面の簡単な説明】
【００２６】
【図１】顔認証システムの構成を示すブロック図
【図２】顔認証システムの概要および認証処理を説明する図
【図３】顔認証システムにおける登録抹消処理を説明する図
【図４】顔認証システムにおける登録処理を説明する図
【図５】認証処理の処理手順を示すフローチャート
【図６】登録抹消処理の処理手順を示すフローチャート
【図７】登録処理の処理手順を示すフローチャート
【図８】更新処理の処理手順を示すフローチャート
【図９】顔認証システムの概要および認証処理を説明する図
【図１０】顔認証システムにおける登録抹消処理を説明する図
【図１１】顔認証システムにおける登録処理を説明する図
【図１２】顔認証システムにおける登録処理を説明する図
【発明を実施するための形態】
【００２７】
（第１実施形態）
以下図１〜図８を参照して、本実施形態に係る顔認証システム、顔認証方法および顔認証プログラムについて説明する。
【００２８】
顔認証システム１は、顔画像またはその特徴量からなる顔データを照合して、被認証者Ａを登録された認証対象者Ｂであると認証するシステムである。顔認証システム１は、例えばデータセンターのサーバールームに設置されて、管理エリアへの入場を管理する。詳しくは顔認証システム１は、認証対象者であると認証された被認証者のみ管理エリアへの入場を許可する。
【００２９】
顔認証システム１は、図１に示すように、端末装置１０、電気制御扉２０および制御装置３０を有して構成される。
【００３０】
本実施形態の顔認証システム１では、図２に示すように、人物Ｐ０１（被認証者Ａ）が電気制御扉２０の前に立つと、端末装置１０が人物Ｐ０１の顔を撮影して、顔データＦ０１を生成する。制御装置３０は、人物Ｐ０１の顔データＦ０１と、第１記憶部３１に記憶された認証対象者Ｂの顔データＦ０２〜Ｆ０５とを照合する。そして顔データが一致すると、人物Ｐ０１（被認証者Ａ）が認証対象者Ｂであると認証される。そして電気制御扉２０が開錠され、人物Ｐ０１が管理エリアに入場することができる。本実施形態の顔認証システム１では、第２記憶部３２に、非認証対象者Ｃの顔データＦ０６〜Ｆ０８が記憶されている。
【００３１】
被認証者Ａとは、顔認証システム１にて認証を受ける人物である。認証対象者Ｂとは、管理エリアへの入場を許可された人物として顔認証システム１に登録されている人物である。非認証対象者Ｃとは、認証対象者Ｂに該当しない人物であり、管理エリアへの入場が許可されていない人物である。
【００３２】
顔データＦとは、顔画像またはその特徴量である。顔画像とは、人物の顔をカメラ等で撮影した画像である。特徴量とは、顔画像における人物の顔の特徴を数値化した量である。顔データＦは、複数の顔画像および特徴量を含む場合がある。例えば顔データＦが、撮影時点や、撮影の角度・光量等が異なる複数の顔画像、当該顔画像に基づく特徴量を含む場合がある。個人識別データＩとは、例えば氏名や所属等、個人を識別できる情報であって、顔データ以外の情報である。例えば個人識別データＩ０２は、人物Ｐ０２の氏名、所属会社名、部署、役職、社員番号、管理番号、連絡先電話番号などを含む情報である。
【００３３】
以下、適宜図２を参照しながら、顔認証システム１の各構成について説明する。
【００３４】
端末装置１０は、管理エリアの入口付近に配置され、被認証者Ａから顔データを取得する装置である。詳しくは端末装置１０は、カメラを有して構成され、端末装置１０の前に立った人物Ｐ０１の顔を撮影し、顔データＦ０１を制御装置３０へ送信する。
【００３５】
本実施形態では詳しくは、端末装置１０で撮影された顔画像が制御装置３０へ送信され、制御装置３０が当該顔画像から特徴量を算出する。以下、顔画像と特徴量とを区別することなく「顔データ」と総称して説明する。
【００３６】
なお端末装置１０は、カードリーダーを有して構成されてもよい。そして顔認証システム１を、顔認証またはカードリーダーを用いたＩＤカード等による認証を併用するものとし、一方の認証に成功した場合に被認証者Ａを認証対象者Ｂであると認証するよう、構成してもよい。
【００３７】
電気制御扉２０は、制御装置３０により開錠・施錠（または開閉）が制御される扉である。電気制御扉２０は、管理エリアの入口に設置される。そして被認証者Ａが認証対象者Ｂであると認証された場合に、制御装置３０により電気制御扉２０が開錠（または開放）され、被認証者Ａが管理エリアに入場することが可能となる。
【００３８】
制御装置３０は、顔認証システム１の全体の動作を制御し、各種の処理を行う。制御装置３０は、第１記憶部３１、第２記憶部３２、制御部３３および通信部３４を有して構成される。
【００３９】
第１記憶部３１および第２記憶部３２は、ＨＤＤ（Ｈａｒｄ  Ｄｉｓｋ  Ｄｒｉｖｅ）や不揮発性ＲＡＭ（Ｒａｎｄｏｍ  Ａｃｃｅｓｓ  Ｍｅｍｏｒｙ）といった記憶デバイスで構成される。第１記憶部３１および第２記憶部３２は、物理的に別個の記憶デバイスであってもよいし、一つの記憶デバイスに設けられた２つの記憶領域であってもよい。また第１記憶部３１および第２記憶部３２は、顔認証システム１が設けられた場所（例えばサーバールーム）に設けられてもよいし、いわゆるクラウド上の記憶領域であってもよい。以下、第１記憶部３１と第２記憶部３２とをまとめて記憶部Ｍと総称する場合がある。
【００４０】
本実施形態では、図１に概念的に示すように、第１記憶部３１に認証対象者Ｂの顔データＦと個人識別データＩとが記憶される。図２の例では、認証対象者Ｂである４人の人物Ｐ０２〜Ｐ０５について、それぞれの顔データＦ０２〜Ｆ０５および個人識別データＩ０２〜Ｉ０５が、人物毎に関連づけられた状態で、第１記憶部３１に記憶されている。すなわち、人物の認証対象者Ｂとしての顔認証システム１への「登録」は、当該人物の顔データＦおよび個人識別データＩが、互いに関連づけられた状態で記憶部Ｍに記憶されていることを意味する。
【００４１】
第２記憶部３２には、非認証対象者Ｃの顔データＦが記憶される。図２の例では、非認証対象者Ｃである３人の人物Ｐ０６〜Ｐ０８について、それぞれの顔データＦ０６〜Ｆ０８が、第２記憶部３２に記憶されている。本実施形態では、非認証対象者Ｃの個人識別データＩは記憶部に記憶されない。すなわち顔データＦ０６〜Ｆ０８は、氏名等の個人を識別できる情報と関連づけられない状態、換言すれば顔データＦ単独の状態で第２記憶部３２に記憶されている。なお図２では、各顔データＦと人物Ｐとが線で結ばれた状態で表現されているが、これは単に、顔データＦの出所である人物Ｐが存在することを概念的に示しているにすぎない。
【００４２】
制御部３３は、認証部３３ａ、更新部３３ｂ、登録抹消部３３ｃおよび登録部３３ｄを有して構成される。制御部３３は、例えば、各種の処理を実現するためのソフトウェアプログラムと、該ソフトウェアプログラムを実行するＣＰＵと、該ＣＰＵによって制御される各種ハードウェア等によって構成されている。制御部３３の動作に必要なソフトウェアプログラムやデータは記憶部Ｍに保存されるが、保存先は特に限定されず、別途専用に設けられたディスクやフラッシュメモリ等の記憶装置に保存される態様であってもよいし、通信可能に接続されたサーバや記憶装置等に保存される態様であっても構わない。
【００４３】
認証部３３ａは、被認証者Ａの顔データＦと、記憶部Ｍに記憶された顔データＦとを照合して、被認証者Ａを認証対象者Ｂであると認証する。本実施形態では、被認証者Ａである人物Ｐ０１の顔データＦ０１と、第１記憶部３１に記憶されている認証対象者Ｂの顔データＦ０２〜Ｆ０５とを照合して、顔データＦが一致した場合に人物Ｐ０１を認証対象者Ｂであると認証する。例えば図２に示すように、被認証者Ａの顔データＦ０１が顔データＦ０４と一致すると、被認証者Ａは認証対象者Ｂの人物Ｐ０４であると認証する。
【００４４】
なお本実施形態および以降の実施形態では、「顔データの一致」とは、顔画像や特徴量が完全に同一の場合だけでなく、顔認証により同一人物の顔データであると判定される場合を含む。
【００４５】
更新部３３ｂは、被認証者Ａや処理対象者Ｄの顔データＦを用いて当該認証対象者Ｂの顔データＦを更新する。例えば更新部３３ｂは、被認証者Ａや処理対象者Ｄの顔データＦを当該認証対象者Ｂの顔データＦに追加登録する。図２の例では、被認証者Ａである人物Ｐ０１は、認証対象者Ｂである人物Ｐ０４と同一人物であると認証された。そこで人物Ｐ０１の顔データＦ０１を、人物Ｐ０４の顔データに追加する。顔データＦ０１は、今般新たに端末装置１０で撮影された画像に関する顔データであるから、過去の撮影画像とは表情や光線の加減が異なる場合がある。そこで顔データＦ０１を過去の撮影画像に係る顔データＦ０４に追加することで、人物Ｐ０４（人物Ｐ０１）についての認証性能を向上させることができる。更新部３３ｂによる顔データＦの更新は、被認証者Ａが認証対象者Ｂであると認証された際（上述の例）や、登録部３３ｄによって認証対象者Ｂが登録された場合に行われる。なお更新部３３ｂによる認証対象者Ｂの顔データＦの更新は、上述した顔データＦの追加登録の他、顔データＦに係る特徴量の変更や調整など、様々な態様が可能である。
【００４６】
登録抹消部３３ｃは、登録を抹消する認証対象者Ｂの顔データＦを、非認証対象者Ｃの顔データＦとして記憶部Ｍに記憶させる。本実施形態では登録抹消部３３ｃは、登録を抹消する認証対象者Ｂの個人識別データＩを記憶部Ｍから削除する。
【００４７】
登録抹消部３３ｃの動作について、図３を参照して詳しく説明する。認証対象者Ｂである人物Ｐ０５について、登録を抹消する場合について説明する。人物Ｐ０５の顔データＦ０５および個人識別データＩ０５は、認証対象者Ｂに係るデータとして第１記憶部３１に記憶されている。
【００４８】
登録抹消部３３ｃは、人物Ｐ０５の顔データＦ０５を、第２記憶部３２へ記憶（複写）させる。そして登録抹消部３３ｃは、第１記憶部３１に記憶されている顔データＦ０５および個人識別データＩ０５を削除する。つまり、顔データＦ０５は第１記憶部３１から第２記憶部３２へ移動される。これにより顔データＦ０５は、以降、非認証対象者Ｃの顔データとして取り扱われる。すなわち人物Ｐ０５は、認証対象者Ｂとしての登録を抹消されて、非認証対象者Ｃとなる。換言すれば、人物Ｐ０５の取り扱い（あるいは属性）が、認証対象者Ｂから非認証対象者Ｃへと変更される。そして個人識別データＩ０５は、記憶部Ｍ（第１記憶部３１および第２記憶部３２）から削除されることになる。
【００４９】
登録部３３ｄは、本実施形態では、認証対象者Ｂとして登録する人物Ｐを処理対象者Ｄとして、記憶部Ｍに記憶された非認証対象者Ｃの顔データＦの中から、処理対象者Ｄに関する顔データを特定し、特定された顔データＦを処理対象者Ｄの顔データとして記憶部Ｍに記憶させる。詳しくは登録部３３ｄは、処理対象者Ｄの顔データＦと、記憶部Ｍに記憶された非認証対象者Ｃの顔データＦとを照合して、処理対象者Ｄに関する顔データＦを特定する。そして登録部３３ｄは、特定された顔データＦを、処理対象者Ｄの個人識別データＩと関連づけた状態で、処理対象者Ｄの顔データＦとして記憶部Ｍに記憶させる。
【００５０】
登録部３３ｄの動作について、図４を参照して詳しく説明する。人物Ｐ０９を認証対象者Ｂとして登録する場合について説明する。つまり、人物Ｐ０９が処理対象者Ｄである。まず、人物Ｐ０９の顔データＦ０９および個人識別データＩ０９が登録のために用意されて、制御装置３０へ入力される。
【００５１】
登録部３３ｄは、処理対象者Ｄの顔データＦ０９と、第２記憶部３２に記憶されている顔データＦとを照合して、処理対象者Ｄに関する顔データＦを特定する。図４に示すように、処理対象者Ｄの顔データＦ０９が顔データＦ０８と一致すると、登録部３３ｄは顔データＦ０８が処理対象者Ｄに関する顔データであると特定する。つまり、顔データＦ０８に係る人物Ｐ０８は、実は、処理対象者Ｄに係る人物Ｐ０９であった、ということになる。
【００５２】
そして登録部３３ｄは、特定された顔データＦ０８を、処理対象者Ｄの個人識別データＩ０９と関連づけた状態で、処理対象者Ｄの顔データＦ０９として第１記憶部３１に記憶させる。すなわち図４に示すように、顔データＦ０８と個人識別データＩ０９とが、人物Ｐ０９のデータとして第１記憶部３１に記憶される。これにより顔データＦ０８は、以降、認証対象者Ｂの顔データとして取り扱われる。すなわち処理対象者Ｄの人物Ｐ０９は、認証対象者Ｂとなる。なお第２記憶部３２に記憶されていた顔データＦ０８は、登録部３３ｄにより第２記憶部３２から削除される。
【００５３】
なお、処理対象者Ｄの顔データＦ０９が第２記憶部３２に記憶されている顔データＦと一致しない場合は、登録部３３ｄは、処理対象者Ｄの顔データＦ０９と個人識別データＩ０９とを、互いに関連づけられた状態にて、第１記憶部３１に記憶させる。つまりこの場合は、処理対象者Ｄは過去に顔認証システム１の認証対象者Ｂであったことが無く、初めて顔認証システム１に登録される人物である、ということになる。
【００５４】
このとき更新部３３ｂが、人物Ｐ０９の認証対象者Ｂとしての登録のために入力された顔データＦ０９を用いて、顔データＦ０８を更新してもよい。顔データＦ０９と顔データＦ０８とは、同一の人物Ｐ０９の顔データＦである旨が登録部３３ｄにより特定されている。したがって更新により、人物Ｐ０９についての認証性能を向上させることができる。
【００５５】
以上説明した顔認証システム１で行われる顔認証方法について、図５〜図８のフローチャートを参照しながら説明する。本実施形態の顔認証方法は、認証処理、登録抹消処理、登録処理および更新処理を有して構成される。
【００５６】
＜認証処理＞
認証処理では、認証部３３ａが、被認証者Ａの顔データＦと、記憶部Ｍに記憶された顔データＦとを照合して、被認証者Ａを認証対象者Ｂであると認証する。詳しくは認証処理は、図５に示すフローチャートに沿って、以下の通り行われる。
【００５７】
ステップＳ１０１の入力ステップでは、顔認証システム１に対して被認証者Ａの顔データＦが入力される。具体的には、端末装置１０が被認証者Ａ（人物Ｐ０１）の顔を撮影して、顔データＦ０１を制御装置３０へ送信する。そしてステップＳ１０２へ進む。
【００５８】
ステップＳ１０２の認証ステップでは、認証部３３ａが、入力された被認証者Ａの顔データＦと、記憶部Ｍに記憶された顔データＦとを照合して、被認証者Ａを認証対象者Ｂであると認証する。本実施形態では、認証部３３ａが、被認証者Ａである人物Ｐ０１の顔データＦ０１と、第１記憶部３１に記憶されている認証対象者Ｂの顔データＦ０２〜Ｆ０５とを照合して、顔データＦが一致した場合に人物Ｐ０１を認証対象者Ｂであると認証する。そしてステップＳ１０３へ進む。
【００５９】
ステップＳ１０３の開錠ステップでは、制御部３３が、電気制御扉２０を開錠する。そして認証処理を終了する。
【００６０】
＜登録抹消処理＞
登録抹消処理では、登録抹消部３３ｃが、登録を抹消する認証対象者Ｂの顔データＦを、非認証対象者Ｃの顔データＦとして記憶部Ｍに記憶させる。詳しくは登録抹消処理は、図６に示すフローチャートに沿って、以下の通り行われる。
【００６１】
ステップＳ２０１の入力ステップでは、顔認証システム１に対して、登録を抹消する認証対象者Ｂを特定する入力が行われる。具体的には、制御装置３０が、登録を抹消する認証対象者Ｂの個人識別データＩ（氏名や管理番号等）の入力を受け付ける。そしてステップＳ２０２へ進む。
【００６２】
ステップＳ２０２の特定ステップでは、登録抹消部３３ｃが、ステップＳ２０１で受け付けた入力内容に基づいて、認証対象者Ｂの中から登録を抹消する人物（例えば、人物Ｐ０５）を特定する。具体的には登録抹消部３３ｃが、登録を抹消する認証対象者Ｂの個人識別データＩと、第１記憶部３１に記憶されている個人識別データＩとを照合して、データが一致する人物Ｐを特定する。そしてステップＳ２０３へ進む。
【００６３】
ステップＳ２０３の複写ステップでは、登録抹消部３３ｃが、登録を抹消する人物の顔データＦを第２記憶部３２へ記憶（複写）させる。例えば、人物Ｐ０５の顔データＦ０５が第２記憶部３２へ記憶（複写）される。そしてステップＳ２０４へ進む。
【００６４】
ステップＳ２０４の削除ステップでは、登録抹消部３３ｃが、人物Ｐ０５の顔データＦ０５および個人識別データＩ０５を第１記憶部３１から削除する。以上の複写ステップおよび削除ステップにより、登録を抹消する認証対象者Ｂの個人識別データＩが記憶部Ｍから削除され、顔データＦが第１記憶部３１から第２記憶部３２へ移動される。そして登録抹消処理を終了する。
【００６５】
＜登録処理＞
本実施形態の登録処理では、登録部３３ｄは、認証対象者Ｂとして登録する人物Ｐを処理対象者Ｄとして、記憶部Ｍに記憶された非認証対象者Ｃの顔データＦの中から、処理対象者Ｄに関する顔データを特定し、特定された顔データＦを処理対象者Ｄの顔データとして記憶部Ｍに記憶させる。本実施形態では登録部３３ｄは、処理対象者Ｄの顔データＦと、記憶部Ｍに記憶された非認証対象者Ｃの顔データＦとを照合して、処理対象者Ｄに関する顔データＦを特定する。そして登録部３３ｄは、特定された顔データＦを、処理対象者Ｄの個人識別データＩと関連づけた状態で、処理対象者Ｄの顔データＦとして記憶部に記憶させる。詳しくは登録処理は、図７に示すフローチャートに沿って、以下の通り行われる。
【００６６】
ステップＳ３０１の入力ステップでは、顔認証システム１に対して、認証対象者Ｂとして登録する人物Ｐ（処理対象者Ｄ）に関する情報が入力される。具体的には、制御装置３０が、処理対象者Ｄである人物Ｐ０９に関する、顔データＦ０９および個人識別データＩ０９の入力を受け付ける。そしてステップＳ３０２へ進む。
【００６７】
ステップＳ３０２の特定ステップでは、登録部３３ｄが、処理対象者Ｄの顔データＦ０９と、第２記憶部３２に記憶されている顔データＦとを照合して、処理対象者Ｄに関する顔データＦを特定する。例えば、処理対象者Ｄの顔データＦ０９が顔データＦ０８と一致すると、登録部３３ｄは顔データＦ０８が処理対象者Ｄに関する顔データであると特定する。そしてステップＳ３０３へ進む。
【００６８】
ステップＳ３０３の登録ステップでは、登録部３３ｄが、特定された顔データＦ０９を、処理対象者Ｄの個人識別データＩ０９と関連づけた状態で、処理対象者Ｄの顔データＦ０９として第１記憶部３１に記憶させる。すなわち、顔データＦ０８と個人識別データＩ０９とが、人物Ｐ０９のデータとして第１記憶部３１に記憶される。これにより顔データＦ０８は、以降、認証対象者Ｂの顔データとして取り扱われる。すなわち処理対象者Ｄの人物Ｐ０９は、認証対象者Ｂとなる。そして登録処理を終了する。
【００６９】
＜更新処理＞
更新処理では、更新部３３ｂが、被認証者Ａや処理対象者Ｄの顔データＦを用いて当該認証対象者Ｂの顔データＦを更新する。具体的には更新部３３ｂは、被認証者Ａや処理対象者Ｄの顔データＦを当該認証対象者Ｂの顔データＦに追加登録する。この更新処理は、認証処理が行われて被認証者Ａの顔データＦが顔認証システム１へ入力された際や、登録処理が行われて処理対象者Ｄの顔データＦが顔認証システム１へ入力された際に、行われる。詳しくは更新処理は、図８に示すフローチャートに沿って、以下の通り行われる。
【００７０】
ステップＳ４０１の入力処理では、顔認証システム１に対して更新処理を行うための顔データＦが入力される。認証処理が行われた際に更新処理を行う場合には、被認証者Ａの顔データＦが、入力されたデータとなる。登録処理が行われた際に更新処理を行う場合には、処理対象者Ｄの顔データＦが、入力されたデータとなる。そしてステップＳ４０２へ進む。
【００７１】
ステップＳ４０２の更新ステップでは、更新部３３ｂが、入力されたデータを用いて認証対象者Ｂの顔データＦを更新する。具体的には更新部３３ｂは、被認証者Ａや処理対象者Ｄの顔データＦを当該認証対象者Ｂの顔データＦに追加登録する。認証処理が行われた際に更新処理を行う場合には、被認証者Ａと同一人物として認証された認証対象者Ｂについて、顔データＦの更新が行われる。登録処理が行われた際に更新処理を行う場合には、認証対象者Ｂとして登録された人物Ｐについて、顔データＦの更新が行われる。そして更新処理を終了する。
【００７２】
（第２実施形態）
上述の第１実施形態では、非認証対象者Ｃの個人識別データＩは記憶部Ｍに記憶されない形態にて、顔認証システム１が構成された。第２実施形態では、記憶部Ｍは、非認証対象者Ｃの顔データＦを、非認証対象者Ｃの個人識別データＩと関連づけて記憶する。これに伴い、登録抹消部３３ｃや登録部３３ｄの動作が、第１実施形態と異なる態様となる。以下の第２実施形態の説明では、第１実施形態と同様の構成については同じ符号を付し、説明を省略する場合がある。
【００７３】
第２記憶部３２には、非認証対象者Ｃの顔データＦおよび個人識別データＩが記憶される。図９の例では、非認証対象者Ｃである３人の人物Ｐ０６〜Ｐ０８について、それぞれの顔データＦ０６〜Ｆ０８および個人識別データＩ０６〜Ｉ０８が、第２記憶部３２に記憶されている。すなわち顔データＦ０６〜Ｆ０８は、氏名等の個人を識別できる情報と関連づけられた状態で、第２記憶部３２に記憶されている。
【００７４】
登録抹消部３３ｃは、登録を抹消する認証対象者Ｂの顔データＦを、非認証対象者Ｃの顔データＦとして記憶部Ｍに記憶させる。本実施形態では登録抹消部３３ｃは、登録を抹消する認証対象者Ｂの個人識別データＩを記憶部Ｍから削除しない。
【００７５】
登録抹消部３３ｃの動作について、図１０を参照して詳しく説明する。認証対象者Ｂである人物Ｐ０５について、登録を抹消する場合について説明する。人物Ｐ０５の顔データＦ０５および個人識別データＩ０５は、認証対象者Ｂに係るデータとして第１記憶部３１に記憶されている。
【００７６】
登録抹消部３３ｃは、人物Ｐ０５の顔データＦ０５および個人識別データＩ０５を、第２記憶部３２へ記憶（複写）させる。そして登録抹消部３３ｃは、第１記憶部３１に記憶されている顔データＦ０５および個人識別データＩ０５を削除する。つまり、顔データＦ０５および個人識別データＩ０５は、第１記憶部３１から第２記憶部３２へ移動される。これにより顔データＦ０５は、以降、非認証対象者Ｃの顔データとして取り扱われる。すなわち人物Ｐ０５は、認証対象者Ｂとしての登録を抹消されて、非認証対象者Ｃとなる。換言すれば、人物Ｐ０５の取り扱い（あるいは属性）が、認証対象者Ｂから非認証対象者Ｃへと変更される。なお個人識別データＩ０５は、第１実施形態とは異なり、記憶部Ｍから削除されず、単に第１記憶部３１から第２記憶部３２へ移動されることになる。
【００７７】
登録部３３ｄは、第１実施形態と同様に、認証対象者Ｂとして登録する人物Ｐを処理対象者Ｄとして、記憶部Ｍに記憶された非認証対象者Ｃの顔データＦの中から、処理対象者Ｄに関する顔データを特定し、特定された顔データＦを処理対象者Ｄの顔データとして記憶部Ｍに記憶させる。登録部３３ｄは、第１実施形態とは異なり、処理対象者Ｄの個人識別データＩと、記憶部Ｍに記憶された非認証対象者Ｃの個人識別データＩとを照合して、処理対象者Ｄに関する顔データＦを特定する。そして登録部３３ｄは、特定された顔データＦを、処理対象者Ｄの個人識別データＩと関連づけた状態で、処理対象者Ｄの顔データＦとして記憶部に記憶させる。
【００７８】
登録部３３ｄの動作について、図１１を参照して詳しく説明する。人物Ｐ０９を認証対象者Ｂとして登録する場合について説明する。つまり、人物Ｐ０９が処理対象者Ｄである。まず、人物Ｐ０９の顔データＦ０９および個人識別データＩ０９が登録のために用意されて、制御装置３０へ入力される。
【００７９】
登録部３３ｄは、処理対象者Ｄの個人識別データＩと、第２記憶部３２に記憶された非認証対象者Ｃの個人識別データＩとを照合して、処理対象者Ｄに関する顔データＦを特定する。換言すれば登録部３３ｄは、例えば氏名や社員番号等の個人識別データＩに基づいて、第２記憶部３２に記憶された非認証対象者Ｃの顔データＦの中から、処理対象者Ｄの顔データＦを特定する。図１１に示すように、処理対象者Ｄの個人識別データＩ０９が個人識別データＩ０８と一致すると、登録部３３ｄは顔データＦ０８が処理対象者Ｄに関する顔データであると特定する。つまり、顔データＦ０８に係る人物Ｐ０８は、実は、処理対象者Ｄに係る人物Ｐ０９であった、ということになる。
【００８０】
そして登録部３３ｄは、特定された顔データＦ０９を、処理対象者Ｄの個人識別データＩ０９と関連づけた状態で、処理対象者Ｄの顔データＦ０９として第１記憶部３１に記憶させる。すなわち図１１に示すように、顔データＦ０８と個人識別データＩ０９とが、人物Ｐ０９のデータとして第１記憶部３１に記憶される。これにより顔データＦ０８は、以降、認証対象者Ｂの顔データとして取り扱われる。すなわち処理対象者Ｄの人物Ｐ０９は、認証対象者Ｂとなる。そして顔データＦ０８が、人物Ｐ０９の顔データＦ０９となる。なお第２記憶部３２に記憶されていた顔データＦ０８および個人識別データＩ０８は、登録部３３ｄにより第２記憶部３２から削除される。
【００８１】
第２実施形態に係る顔認証システム１で行われる顔認証方法は、顔認証システム１の態様の相違により、第１実施形態と若干異なる部分がある。以下説明する。
【００８２】
＜登録抹消処理＞
本実施形態の登録抹消処理では、登録を抹消する人物の個人識別データＩは、記憶部Ｍから削除されず、第２記憶部３２へ移動される。
【００８３】
ステップＳ２０３の複写ステップでは、登録抹消部３３ｃが、登録を抹消する人物の顔データＦおよび個人識別データＩを第２記憶部３２へ記憶（複写）させる。例えば、人物Ｐ０５の顔データＦ０５および個人識別データＩ０５が第２記憶部３２へ記憶（複写）される。そしてステップＳ２０４へ進む。
【００８４】
ステップＳ２０４の削除ステップでは、登録抹消部３３ｃが、人物Ｐ０５の顔データＦ０５および個人識別データＩ０５を第１記憶部３１から削除する。以上の複写ステップおよび削除ステップにより、顔データＦおよび個人識別データＩが第１記憶部３１から第２記憶部３２へ移動される。そして登録抹消処理を終了する。
【００８５】
＜登録処理＞
本実施形態の登録処理では登録部３３ｄは、第１実施形態とは異なり、処理対象者Ｄの個人識別データＩと、記憶部Ｍに記憶された非認証対象者Ｃの個人識別データＩとを照合して、処理対象者Ｄに関する顔データＦを特定する。
【００８６】
ステップＳ３０２の特定ステップでは、登録部３３ｄが、処理対象者Ｄの個人識別データＩ０９と、第２記憶部３２に記憶されている個人識別データＩとを照合して、処理対象者Ｄに関する顔データＦを特定する。例えば、処理対象者Ｄの個人識別データＩ０９が個人識別データＩ０８と一致すると、登録部３３ｄは顔データＦ０８が処理対象者Ｄに関する顔データであると特定する。そしてステップＳ３０３へ進む。
【００８７】
（第３実施形態）
上述の第１実施形態および第２実施形態では、認証対象者Ｂとして顔認証システム１に登録する人物Ｐを処理対象者Ｄとして、登録処理が行われた。これを改変し、認証対象者Ｂとして顔認証システム１に登録されている人物Ｐを処理対象者Ｄとして、登録処理を行うことも可能である。図１２は、認証対象者Ｂである人物Ｐ０９を処理対象者Ｄとして、登録処理を行う例を示している。
【００８８】
登録部３３ｄは、処理対象者Ｄである人物Ｐ０９の顔データＦ０９と、第２記憶部３２に記憶されている顔データＦとを照合して、処理対象者Ｄに関する顔データＦを特定する。図１２に示すように、処理対象者Ｄの顔データＦ０９が顔データＦ０８と一致すると、登録部３３ｄは顔データＦ０８が処理対象者Ｄに関する顔データであると特定する。つまり、顔データＦ０８に係る人物Ｐ０８は、実は、処理対象者Ｄに係る人物Ｐ０９であった、ということになる。
【００８９】
そして登録部３３ｄは、特定された顔データＦ０９を、処理対象者Ｄの個人識別データＩ０９と関連づけた状態で、処理対象者Ｄの顔データＦ０９として第１記憶部３１に記憶させる。すなわち図１２に示すように、顔データＦ０８と個人識別データＩ０９とが、人物Ｐ０９のデータとして第１記憶部３１に記憶される。これにより顔データＦ０８は、以降、認証対象者Ｂの顔データとして取り扱われる。
【００９０】
以上述べた様に、第３実施形態に係る顔認証システム１では、登録部３３ｄが登録処理を行う時点で、既に認証対象者Ｂとして顔認証システム１に登録されている人物Ｐを処理対象者Ｄとする。すなわち、処理対象者Ｄの顔データＦは、第１記憶部３１に記憶された状態である。例えば、ある人物Ｐを顔認証システム１に登録する際には、その時点で撮影した顔画像を用いて登録しておき、顔認証システム１の処理負荷が小さい夜間等に、登録部３３ｄによる登録処理をバッチ処理的に実行することが考えられる。このような場合に、第３実施形態に係る登録処理は有用である。
【００９１】
（他の実施形態）
（１）上述の実施形態では、認証部３３ａは、被認証者Ａの顔データＦと、第１記憶部３１に記憶されている認証対象者Ｂの顔データＦとを照合する態様を説明した。これを改変し、認証部３３ａが、被認証者Ａの顔データＦと、第１記憶部３１および第２記憶部３２、すなわち記憶部Ｍ全体に記憶されている認証対象者Ｂの顔データＦとを照合してもよい。なおこの場合、被認証者Ａの顔データＦと、非認証対象者Ｃの顔データＦとが一致したとしても、被認証者Ａは管理エリアへの入場は許可されず、電気制御扉２０は開かれない。
【００９２】
（２）上述の実施形態では、制御装置３０が第１記憶部３１と第２記憶部３２の２つの記憶部を有して構成された。すなわち記憶部Ｍが２つに分けられていた。そして第１記憶部３１に認証対象者Ｂの顔データＦが記憶され、第２記憶部３２に非認証対象者Ｃの顔データＦ０９が記憶された。制御装置３０が１つの記憶部を有する構成や、３つ以上の記憶部を有する構成も可能である。すなわち、認証対象者Ｂおよび非認証対象者Ｃの顔データＦ０９が、１つの記憶部に記憶されてもよいし、３つ以上の記憶部に分散して記憶されてもよい。
【００９３】
（３）第１記憶部３１と第２記憶部３２の設置場所については特に制約は存在しない。例えば、第１記憶部３１を複数の管理エリアの近傍に設置して、それぞれの第１記憶部３１に、設置された管理エリアに係る認証対象者Ｂの顔データＦを記憶させ、各管理エリアを統括する本部に第２記憶部３２を設置して、非認証対象者Ｃの顔データＦを集中管理する態様も可能である。
【００９４】
（４）上述の実施形態では顔認証システム１が、データセンターのサーバールーム等の、管理エリアへの入場を管理する場合を例として説明した。顔認証システム１は、このような入場管理に限らず適用可能である。例えば、カメラで通行する人物を撮影して、特定の人物を検出／報知する場合にも適用可能である。この場合、「通行する人物」が被認証者Ａに相当し、検出する「特定の人物」が認証対象者Ｂに相当する。なおこの場合、カメラで撮影した「特定の人物」の顔データもしくは別途用意した「特定の人物」の顔データを登録する。このとき「特定の人物」は処理対象者Ｄに相当し、過去に「特定の人物」として登録されていた非認証対象者Ｃの顔データＦの中から、「特定の人物」である処理対象者Ｄの顔データＦを特定し、処理対象者Ｄの顔データＦとして第１記憶部３１に記憶させる。
【００９５】
（５）上述の実施形態では、人物の認証対象者Ｂとしての顔認証システム１への「登録」は、当該人物の顔データＦおよび個人識別データＩが、互いに関連づけられた状態で記憶部Ｍに記憶されていることを意味するとしたが、個人識別データＩは必須ではない。例えば、少なくとも入場を許可する人物の顔データＦを記憶部Ｍに記憶すれば、被認証者Ａの顔データＦと照合して、入場を許可することが出来る。また、少なくとも検出したい「特定の人物」の顔データＦを記憶部Ｍに記憶すれば、「通行する人物」の顔データＦと照合して、「特定の人物」を検出／報知することが出来る。すなわち、「登録」は少なくとも顔データＦが記憶部Ｍに記憶されていることを意味する。
【００９６】
また、上述の実施形態で図示した各構成は機能概略的なものであり、必ずしも物理的に図示の構成をされていることを要しない。すなわち、各装置の分散・統合の形態は図示のものに限られず、その全部又は一部を各種の負荷や使用状況などに応じて、任意の単位で機能的又は物理的に分散・統合して構成することができる。
【産業上の利用可能性】
【００９７】
以上のように、本発明に係る顔認証システム等は、人物を認証対象者として再登録した場合に認証性能を向上できる手法を提供することができる。
【符号の説明】
【００９８】
１        ：顔認証システム
１０      ：端末装置
２０      ：電気制御扉
３０      ：制御装置
３１      ：第１記憶部
３２      ：第２記憶部
３３      ：制御部
３３ａ    ：認証部
３３ｂ    ：更新部
３３ｃ    ：登録抹消部
３３ｄ    ：登録部
３４      ：通信部
Ａ        ：被認証者
Ｂ        ：認証対象者
Ｃ        ：非認証対象者
Ｄ        ：処理対象者
Ｆ        ：顔データ
Ｉ        ：個人識別データ
Ｍ        ：記憶部
Ｐ        ：人物
【図１】
2018120301.tif 000003
【図２】
2018120301.tif 000004
【図３】
2018120301.tif 000005
【図４】
2018120301.tif 000006
【図５】
2018120301.tif 000007
【図６】
2018120301.tif 000008
【図７】
2018120301.tif 000009
【図８】
2018120301.tif 000010
【図９】
2018120301.tif 000011
【図１０】
2018120301.tif 000012
【図１１】
2018120301.tif 000013
【図１２】
2018120301.tif 000014